(57)【特許請求の範囲】
【請求項１】
基地局装置と端末装置とを備える通信システムにおける端末装置であって、
スケジューリングリクエストに用いる上りリンク制御チャネルに関する送信設定であって、第１の送信設定と第２の送信設定とのうちから、前記第２の送信設定が可能であるか否かを示す情報に基づいて選択される送信設定を受信する受信部と、
前記情報を送信し、前記送信設定に基づいて上りリンク制御チャネルを送信する送信部と、を備え、
前記第２の送信設定は、前記第１の送信設定のパラメータを拡張したパラメータを含み、
前記パラメータは、スケジューリングリクエストのためのリソースに関係することを特徴とする端末装置。
【請求項２】
基地局装置と端末装置とを備える通信システムにおける基地局装置であって、
スケジューリングリクエストに用いられる上りリンク制御チャネルに関する送信設定として、第１の送信設定のパラメータを拡張したパラメータを含む第２の送信設定が前記端末装置によってサポートされているか否かを示す情報を受信する受信部と、
前記情報に基づいて、前記第１の送信設定と前記第２の送信設定とのうちから選択した送信設定を送信する送信部と、を備え、
前記パラメータは、スケジューリングリクエストのためのリソースに関係することを特徴とする基地局装置。
【請求項３】
基地局装置と端末装置とを備える通信システムにおける端末装置の通信方法であって、
スケジューリングリクエストに用いる上りリンク制御チャネルに関する送信設定として、第１の送信設定のパラメータを拡張したパラメータを含む第２の送信設定が可能であるか否かを示す情報を送信する第１送信ステップと、
前記情報に基づいて、前記第１の送信設定と前記第２の送信設定とのうちから選択された送信設定を受信するステップと、
前記送信設定に基づいて上りリンク制御チャネルを送信する第２送信ステップと、を含み、
前記パラメータは、スケジューリングリクエストのためのリソースに関係することを特徴とする通信方法。
【請求項４】
基地局装置と端末装置とを備える通信システムにおける基地局装置の通信方法であって、
スケジューリングリクエストに用いられる上りリンク制御チャネルに関する送信設定として、第１の送信設定のパラメータを拡張したパラメータを含む第２の送信設定が前記端末装置によってサポートされているか否かを示す情報を受信する受信ステップと、
前記情報に基づいて、前記第１の送信設定と前記第２の送信設定とのうちから選択した送信設定を送信するステップと、を含み、
前記パラメータは、スケジューリングリクエストのためのリソースに関係することを特徴とする通信方法。
【請求項５】
基地局装置と端末装置とを備える通信システムにおける端末装置に実装される集積回路であって、
スケジューリングリクエストに用いる上りリンク制御チャネルに関する送信設定として、第１の送信設定と第２の送信設定とのうちから、前記第２の送信設定が可能であるか否かを示す情報に基づいて選択される送信設定を受信する機能と、
前記情報を送信し、前記送信設定に基づいて上りリンク制御チャネルを送信する機能とを、少なくとも含む一連の機能を前記端末装置に発揮させ、
前記第２の送信設定は、前記第１の送信設定のパラメータを拡張したパラメータを含み、
前記パラメータは、スケジューリングリクエストのためのリソースに関係することを特徴とする集積回路。
【請求項６】
基地局装置と端末装置とを備える通信システムにおける基地局装置に実装される集積回路であって、
スケジューリングリクエストに用いられる上りリンク制御チャネルに関する送信設定として、第１の送信設定のパラメータを拡張したパラメータを含む第２の送信設定が前記端末装置によってサポートされているか否かを示す情報を受信する機能と、
前記情報に基づいて、前記第１の送信設定と前記第２の送信設定とのうちから選択した送信設定を送信する機能を、少なくとも含む一連の機能を前記基地局装置に発揮させ、
前記パラメータは、スケジューリングリクエストのためのリソースに関係することを特徴とする集積回路。
【発明の詳細な説明】
【技術分野】
【０００１】
本発明の実施形態は、移動局装置と基地局装置との間の無線リソース要求制御を効率的に行うことによって、無線リソースの利用効率を向上させる端末装置、基地局装置、通信システム、通信方法および集積回路の技術に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。
【０００３】
また、３ＧＰＰでは、より高速なデータ伝送を実現し、ＥＵＴＲＡに対して上位互換性を持つＡｄｖａｎｃｅｄ  ＥＵＴＲＡの議論を行っている。ＥＵＴＲＡや、Ａｄｖａｎｃｅｄ  ＥＵＴＲＡでは、高速なデータ通信を実現するだけでなく、移動局装置上で常時動作する複数のアプリケーションによって移動局装置の消費電力が増加するという問題や、該アプリケーションによって消費される無線リソースの利用効率を高めるための議論もまた行われている（非特許文献１）。
【先行技術文献】
【非特許文献】
【０００４】
【非特許文献１】3GPP TR 36.822 V0.2.0 (2011-11) LTE RAN Enhancements for Diverse Data Applicationshttp://www.3gpp.org/ftp/Specs/html-info/36822.htm
【発明の概要】
【発明が解決しようとする課題】
【０００５】
ＥＵＴＲＡにおける移動局装置は、上りリンクの無線リソースを要求するための無線リソース要求（Ｓｃｈｅｄｕｌｉｎｇ  Ｒｅｑｕｅｓｔ（ＳＲ）とも称する）手順を備えている。また、このとき移動局装置が無線リソース要求に用いる上りリンクチャネルとして、物理上りリンク制御チャネルと物理ランダムアクセスチャネルとを備えており、基地局装置に対して上りリンクの無線リソースが必要であるとき、移動局装置は、このどちらかのチャネルを送信することによって、基地局装置に対して上りリンクの無線リソースが必要であることを通知する。
【０００６】
しかしながら、非特許文献１で示されるように、少量のデータパケットのみを生起するようなアプリケーション（例えば、バックグラウンド通信（バックグランドトラフィック）やインスタントメッセージ通信などが相当する）が移動局装置で常時動作しているような通信状態を考えるとき、実際に使用される上りリンクデータ用の無線リソースは少量であり、かつ送信の頻度も低いため、無線リソース要求に用いる物理上りリンク制御チャネルを移動局装置に常に割り当てておくことは、物理上りリンク制御チャネルに関する無線リソースの利用効率が悪くなるという問題がある。逆に、無線リソースの利用効率を上げるため、無線リソース要求に用いる物理上りリンク制御チャネルを割り当てない、または割り当てる頻度を減らすと、今度は上りリンクデータ用の無線リソースの割り当てに時間がかかり、送信遅延が大きくなってしまうという問題がある。
【０００７】
これは、実際の送信の種別に応じた無線リソース要求を行うことによって解決されるが、移動局装置または基地局装置（および上位のネットワーク）が、生起するデータパケットの総量やそのデータパケットの送受信のパターン（送信周期、送信間隔、パケット生起タイミングなど）を予測することは困難である。
【０００８】
上記の課題を鑑みて、本発明の実施形態の目的は、端末装置と基地局装置との間の無線リソース要求制御を効率的に行うことによって、無線リソースの利用効率を向上させる端末装置、基地局装置、通信システム、通信方法および集積回路に関する技術を提供することを目的とする。
【課題を解決するための手段】
【０００９】
上記の目的を達成するために以下のような手段を講じた。すなわち、本発明の実施形態における端末装置は、基地局装置と端末装置とを備える通信システムにおける端末装置であって、基地局装置から無線リソース要求に用いる上りリンク制御チャネルに関する送信設定として、第１の送信設定と第２の送信設定とを受信し、基地局装置から通知される情報に基づいて、第１の送信設定と第２の送信設定のうちの一方を適用して無線リソース要求を行う。
【００１０】
また、本発明の実施形態における端末装置は、第２の送信設定を用いた無線リソース要求が可能であることを示す能力情報を端末装置能力メッセージに設定し、端末装置能力メッセージを基地局装置に対して送信する。
【００１１】
また、本発明の実施形態における基地局装置は、基地局装置と端末装置とを備える通信システムにおける基地局装置であって、端末装置に対し、端末装置の無線リソース要求に用いられる上りリンク制御チャネルに関する送信設定として、第１の送信設定と第２の送信設定と、第１の送信設定と前記第２の送信設定のどちらを適用して前記無線リソース要求を行うかを示す情報を送信する。
【００１２】
また、本発明の実施形態における基地局装置は、端末装置から第２の送信設定を用いた無線リソース要求が可能であることを示す能力情報を含む端末装置能力メッセージを受信し、端末装置能力メッセージに基づいて第２の送信設定を端末装置に対して送信する。
【００１３】
また、本発明の実施形態における通信方法は、基地局装置と端末装置とを備える通信システムにおける端末装置の通信方法であって、基地局装置から無線リソース要求に用いる上りリンク制御チャネルに関する送信設定として、第１の送信設定と第２の送信設定とを受信するステップと、基地局装置から通知される情報に基づいて、第１の送信設定と第２の送信設定のうちの一方を適用して無線リソース要求を行うステップを少なくとも含む。
【００１４】
また、本発明の実施形態における通信方法は、基地局装置と端末装置とを備える通信システムにおける基地局装置の通信方法であって、端末装置の無線リソース要求に用いられる上りリンク制御チャネルに関する送信設定として、端末装置に対し、第１の送信設定と第２の送信設定と、第１の送信設定と第２の送信設定のどちらを適用して無線リソース要求を行うかを示す情報を送信するステップを少なくとも含む。
【００１５】
また、本発明の実施形態における集積回路は、基地局装置と端末装置とを備える通信システムにおける端末装置に実装される集積回路であって、基地局装置から無線リソース要求に用いる上りリンク制御チャネルに関する送信設定として、第１の送信設定と第２の送信設定とを受信する機能と、基地局装置から通知される情報に基づいて、第１の送信設定と第２の送信設定のうちの一方を適用して無線リソース要求を行う機能とを、少なくとも含む一連の機能を端末装置に発揮させる。
【００１６】
また、本発明の実施形態における集積回路は、基地局装置と端末装置とを備える通信システムにおける基地局装置に実装される集積回路であって、端末装置の無線リソース要求に用いられる上りリンク制御チャネルに関する送信設定として、端末装置に対し、第１の送信設定と第２の送信設定と、第１の送信設定と第２の送信設定のどちらを適用して無線リソース要求を行うかを示す情報を送信する機能を、少なくとも含む一連の機能を基地局装置に発揮させる。
【００２１】
本明細書では、効率的な無線リソース要求制御を実現する端末装置、基地局装置、通信システム、通信方法および集積回路という技術において各実施形態を開示するが、各実施形態に対して適用可能な通信方式は、ＥＵＴＲＡまたはＡｄｖａｎｃｅｄ  ＥＵＴＲＡのようにＥＵＴＲＡと上位互換性のある通信方式に限定されるものではない。
【００２２】
例えば、本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、およびその他のシステム等の、種々の通信システムにおいて使用され得る。また、本明細書において、システムとネットワークは同義的に使用され得る。
【００２３】
また、移動局装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。
【００２４】
例えば、キャリア・アグリゲーションによって周波数帯域幅が２０ＭＨｚのコンポーネントキャリアを５つ集約した場合、キャリア・アグリゲーションを可能な能力を持つ移動局装置はこれらを一つの１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２．４ＧＨｚ帯、３．４ＧＨｚ帯である場合、あるコンポーネントキャリアが８００ＭＨｚ帯、別のコンポーネントキャリアが２ＧＨｚ帯、さらに別のコンポーネントキャリアが３．４ＧＨｚ帯で送信されていてもよい。
【００２５】
また、同一周波数帯の連続または不連続の複数のコンポーネントキャリアを集約することも可能である。各コンポーネントキャリアの周波数帯域幅は移動局装置の受信可能周波数帯域幅（例えば２０ＭＨｚ）よりも狭い周波数帯域幅であっても良く、各々周波数帯域幅が異なっていても良い。周波数帯域幅は、後方互換性を考慮して従来のセルの周波数帯域幅のいずれかと等しいことが望ましい。なお、基地局装置が移動局装置に割り当てる（設定する、追加する）上りリンクコンポーネントキャリアの数は、下りリンクコンポーネントキャリアの数と同じか少ないことが望ましい。
【発明の効果】
【００２６】
本発明の実施形態によれば、移動局装置と基地局装置との間の無線リソース要求制御を効率的に行うことによって、無線リソースの利用効率を向上させる端末装置、基地局装置、通信システム、通信方法および集積回路に関する技術を提供することが出来る。
【図面の簡単な説明】
【００２７】
【図１】本発明の実施形態における移動局装置の概略構成を示すブロック図である。
【図２】本発明の実施形態における基地局装置の概略構成を示すブロック図である。
【図３】本発明の第１の実施形態における移動局装置と基地局装置の動作の一例を示すシーケンスチャート図である。
【図４】本発明の第２の実施形態における移動局装置と基地局装置の動作の一例を示すシーケンスチャート図である。
【発明を実施するための形態】
【００２８】
本発明の各実施形態を説明する前に、本発明の各実施形態に関わる技術について以下に簡単に説明する。
【００２９】
[物理チャネル／物理シグナル]
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。物理チャネルは、ＥＵＴＲＡ、およびＡｄｖａｎｃｅｄ  ＥＵＴＲＡにおいて、今後追加、または、その構造やフォーマット形式が変更または追加される可能性もあるが、変更または追加された場合でも本発明の各実施形態の説明には影響しない。
【００３０】
ＥＵＴＲＡおよびＡｄｖａｎｃｅｄ  ＥＵＴＲＡでは、物理チャネル／物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３１】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。移動局装置は、セルサーチによって受信した同期シグナルのセルＩＤを特定する。
【００３２】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、物理下りリンク制御チャネルで無線リソースが通知され、物理下りリンク共用チャネルによってレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報（送信タイミングタイマーなど）、共通無線リソース設定情報などが通知される。
【００３３】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。移動局装置は、セル固有ＲＳを受信することでセル毎の受信品質を測定する。また、移動局装置は、セル固有ＲＳと同時に送信される物理下りリンク制御チャネル、または物理下りリンク共用チャネルの復調のための参照用の信号としても下りセル固有ＲＳを使用する。セル固有ＲＳに使用される系列は、セル毎に識別可能な系列が用いられる。
【００３４】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、移動局装置毎に個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルを復調するときのチャネル補償処理のために参照される。
【００３５】
物理下りリンク制御チャネル（PDCCH; Physical Downlink Control Channel）は、各サブフレームの先頭からいくつかのＯＦＤＭシンボル（例えば１〜４ＯＦＤＭシンボル）で送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の物理下りリンク制御チャネルを監視（モニタ）し、自局宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＤＦＭシンボルで送信される以外に、基地局装置から移動局装置に対して個別（ｄｅｄｉｃａｔｅｄ）に割り当てられるリソースブロックの領域で送信されるように構成することも可能である。
【００３６】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求）であるスケジューリングリクエスト（ＳＲ；Ｓｃｈｅｄｕｌｉｎｇ  Ｒｅｑｕｅｓｔ）を行なうために使用される。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記される場合もあるが、その用途と意味は同じである。
【００３７】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして移動局装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００３８】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして基地局装置に通知するためにも使用される。また、下りリンクと同様に物理上りリンク共用チャネルの無線リソース割り当て情報は、物理下りリンク制御チャネルで示される。
【００３９】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的サウンディング参照信号（Ｐｅｒｉｏｄｉｃ  ＳＲＳ）と非周期的サウンディング参照信号（Ａｐｅｒｉｏｄｉｃ  ＳＲＳ）とがある。
【００４０】
物理ランダムアクセスチャネル（PRACH; Physical Random Access Channel）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、移動局装置の基地局装置へのアクセス手段として用いられる。移動局装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するために物理ランダムアクセスチャネルを用いる。
【００４１】
具体的には、移動局装置は、基地局装置より設定された物理ランダムアクセスチャネル用の無線リソースを用いてプリアンブル系列を送信する。送信タイミング調整情報を受信した移動局装置は、報知情報によって共通的に設定される（またはレイヤ３メッセージで個別に設定される）送信タイミング調整情報の有効時間を計時する送信タイミングタイマー（ＴＡ  ｔｉｍｅｒ）を設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤ３メッセージは、移動局装置と基地局装置のＲＲＣ（無線リソース制御）層でやり取りされる制御平面（Ｃｏｎｔｒｏｌ−ｐｌａｎｅ）のメッセージであり、ＲＲＣシグナリングまたはＲＲＣメッセージと同義の意味で使用される。なお、それ以外の物理チャネルは、本発明の各実施形態に関わらないため詳細な説明は省略する。
【００４２】
[無線ネットワーク]
基地局装置によって制御される各周波数の通信可能範囲はセルとしてみなされる。このとき、各周波数がカバーするエリア（セル）はそれぞれ異なる広さ、異なる形状であっても良い。また、カバーするエリアが周波数毎に異なっていてもよい。移動局装置は、セルの中で動作し、あるセルから別のセルへ移動するときは、非無線接続時（非通信中）はセル再選択手順、無線接続時（通信中）はハンドオーバー手順によって別の好適なセルへ移動する。好適なセルとは、一般的に移動局装置のアクセスが禁止されておらず、下りの受信品質が最良のセルのことを示す。
【００４３】
なお、キャリア・アグリゲーションは、複数のコンポーネントキャリア（周波数帯域）を用いた複数のセルによる通信であり、セル・アグリゲーションとも称される。なお、移動局装置は、周波数毎にリレー局装置（またはリピーター）を介して基地局装置と無線接続されても良い。すなわち、本発明の各実施形態の基地局装置は、リレー局装置に置き換えることが出来る。
【００４４】
３ＧＰＰが規定する基地局装置はノードＢ（NodeB）と称され、ＥＵＴＲＡおよびＡｄｖａｎｃｅｄ  ＥＵＴＲＡにおける基地局装置はイーノードＢ（eNodeB）と称される。なお、３ＧＰＰが規定するＥＵＴＲＡおよびＡｄｖａｎｃｅｄ  ＥＵＴＲＡにおける移動局装置はＵＥ（Ｕｓｅｒ  Ｅｑｕｉｐｍｅｎｔ）と称される。基地局装置は移動局装置が該基地局装置で通信可能なエリアであるセルを周波数毎に管理する。セルは、移動局装置と通信可能なエリアの大きさに応じてマクロセルやフェムトセルやピコセル、ナノセルとも称される。また、移動局装置がある基地局装置と通信可能であるとき、その基地局装置のセルのうち、移動局装置との通信に使用しているセルは在圏セル（Serving cell）であり、その他のセルは周辺セル（Neighboring cell）と称される。
【００４５】
[無線リソース要求（Scheduling Request）]
ＥＵＴＲＡにおいて、移動局装置が基地局装置に対して上りリンクデータの送信を開始するための方法として、以下の２つの無線リソース要求方法が用意されている。第１の無線リソース要求方法は、基地局装置が移動局装置に対して無線リソース要求を行なうために必要な物理上りリンク制御チャネルの送信リソースに関する設定（コンフィギュレーション）を割り当てている場合に、移動局装置が物理上りリンク制御チャネルを用いて基地局装置に無線リソース要求（上りリンクグラントの送信を要求）を行う方法である。
【００４６】
第１の無線リソース要求方法において、移動局装置は、上りリンクバッファに上りリンクデータが滞留しているときであって、該上りリンクデータを送信するための物理上りリンク共用チャネル（上りリンクグラント）が割り当てられていないとき、無線リソース要求に用いる物理上りリンク制御チャネル（以降、ＳＲ−ＰＵＣＣＨと称する）を基地局装置に送信することによって無線リソースを要求する。このとき、物理上りリンク制御チャネルの送信カウンタをインクリメントし、設定に応じて無線リソース要求禁止タイマー（ＳＲ  Ｐｒｏｈｉｂｉｔ  Ｔｉｍｅｒ）の計時を開始する。移動局装置は、無線リソース要求禁止タイマーが計時中のときはＳＲ−ＰＵＣＣＨの送信を行わない。
【００４７】
移動局装置は、物理上りリンク共用チャネル（上りリンクグラント）が割り当てられるまで、周期的にＳＲ−ＰＵＣＣＨを送信する。ただし、ＳＲ−ＰＵＣＣＨの最大送信回数に達しても基地局装置から上りリンクグラントを受信できない場合、物理上りリンク制御チャネルのリソースを解放し、第２の無線リソース要求方法を開始する。第１の無線リソース要求方法において、移動局装置は送信タイミング調整状態である。
【００４８】
第２の無線リソース要求方法は、（１）移動局装置が送信タイミング調整状態であるが、基地局装置が移動局装置に対して無線リソース要求を行うために必要な上りリンク共用チャネルを割り当てていない場合、または（２）ＴＡ  ｔｉｍｅｒが非動作中の状態（送信タイミング非調整状態）の場合に実施される。第２の無線リソース要求方法において、移動局装置は、物理ランダムアクセスチャネルを用いて基地局装置に無線リソース要求を行う方法である。
【００４９】
以上の事項を考慮しつつ、以下、添付図面を参照しながら本発明の好適な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００５０】
＜第１の実施形態＞
本発明の第１の実施形態について以下に説明する。本実施形態は、移動局装置１の無線リソース要求方法に関し、特に、移動局装置１が通信中のときの無線リソース要求の方法を判断し、該状態の判断に基づく無線リソース要求方法について示す。
【００５１】
図１は、本発明の第１の実施形態による移動局装置１の一例を示すブロック図である。本移動局装置１は、受信部１０１、復調部１０２、復号部１０３、測定処理部１０４、制御部１０５、上りリンクバッファ制御部１０６、符号部１０７、変調部１０８、送信部１０９、上りリンク無線リソース要求制御部１１０、ランダムアクセス制御部１１１、上位レイヤ１１２から構成される。上位レイヤ１１２は、無線リソース制御を執り行うＲＲＣ（Ｒａｄｉｏ  Ｒｅｓｏｕｒｃｅ  Ｃｏｎｔｒｏｌ）層の特定の機能を実現するブロックである。また、上りリンクバッファ制御部１０６、上りリンク無線リソース要求制御部１１０、ランダムアクセス制御部１１１は、データリンク層を管理するＭＡＣ（Ｍｅｄｉｕｍ  Ａｃｃｅｓｓ  Ｃｏｎｔｒｏｌ）層の特定の機能を実現するブロックである。
【００５２】
なお、移動局装置１は、キャリア・アグリゲーションによって複数の周波数（周波数帯、周波数帯域幅）の同時受信をサポートするために受信系のブロック（受信部１０１、復調部１０２、復号部１０３）、および複数の周波数（周波数帯、周波数帯域幅）の同時送信をサポートするための送信系のブロック（符号部１０７、変調部１０８、送信部１０９）を複数備えてもよい。
【００５３】
受信に関し、上位レイヤ１１２より制御部１０５へ移動局装置制御情報が入力される。移動局装置制御情報は、受信制御情報と送信制御情報によって構成される移動局装置１の無線通信制御に必要な情報であり、基地局装置２から個別に送信される無線接続リソース設定、セル固有の報知情報、またはシステムパラメータにより設定され、上位レイヤ１１２が必要に応じて制御部１０５へ入力する。制御部１０５は、受信に関する制御情報である受信制御情報を、受信部１０１、復調部１０２、復号部１０３へ適切に入力する。受信制御情報は、受信周波数帯域の情報の他に、各チャネルに関する受信タイミング、多重方法、無線リソース配置情報などの情報が含まれている。また、制御部１０５は、移動局装置１の測定結果が、指定された測定イベントを満たしたかどうかの測定イベント判定に用いる測定設定情報を測定処理部１０４に入力する。測定設定情報は、異なる複数の種別の測定イベントを含めることができる。測定設定情報は、セル毎、または周波数毎に異なる測定イベントが基地局装置２から設定されてもよい。
【００５４】
受信信号は、受信部１０１において受信される。受信部１０１は、受信制御情報で指定された周波数帯域で信号を受信する。受信された信号は、復調部１０２へと入力される。復調部１０２は、受信信号の復調を行い、復号部１０３へと信号を入力して下りリンクデータと下りリンク制御データとを正しく復号し、復号された各データを上位レイヤ１１２へと入力する。各データは測定処理部１０４にも入力される。
【００５５】
測定処理部１０４は、セル（コンポーネントキャリア）毎の下りリンクリファレンスシグナルの受信品質（ＳＩＲ、ＳＩＮＲ、ＲＳＲＰ、ＲＳＲＱ、ＲＳＳＩ、パスロスなど）の測定値や、物理下りリンク制御チャネルまたは物理下りリンク共用チャネルの受信誤り率の測定結果に基づいて測定結果情報を生成する。測定処理部１０４は、測定結果を設定された測定イベントの成否を判定するパラメータの一つとしても用いる。また、測定処理部１０４は、測定結果を測定結果情報として上位レイヤ１１２へ入力する。また、測定処理部１０４は、設定された測定イベントが一つまたは複数成立したとき（すなわち、設定された測定イベント条件を満たした場合）、成立した測定イベントの内容を表す測定イベント結果を測定結果情報として上位レイヤ１１２に通知する。また、測定処理部１０４は、一度成立した測定イベントが成立しなくなったとき（すなわち、設定された測定イベント条件を満たさなくなった場合）、非成立となった測定イベントの内容を表す測定イベント結果を測定結果情報として上位レイヤ１１２に通知してもよい。
【００５６】
また、送信に関し、上位レイヤ１１２より制御部１０５へ各ブロックを制御するための制御パラメータである移動局装置制御情報が入力され、送信に関する制御情報である送信制御情報が、上りリンクバッファ制御部１０６、符号部１０７、変調部１０８、送信部１０９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。
【００５７】
上位レイヤ１１２からランダムアクセス制御部１１１にランダムアクセス設定情報が入力される。ランダムアクセス設定情報には、プリアンブル情報や物理ランダムアクセスチャネル送信用の無線リソース情報（電力調整パラメータや、最大プリアンブル再送回数など）などが含まれる。また、上位レイヤ１１２は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信制御情報に含まれる。
【００５８】
なお、複数の上りリンク送信タイミングの状態を管理する必要がある場合、上位レイヤ１１２は、複数のそれぞれのセル（またはセルグループ、ＴＡグループ）の上りリンク送信タイミングに対応する送信タイミング調整情報を管理する。
【００５９】
上りリンクバッファ制御部１０６には、上位レイヤ１１２より任意のタイミングで送信データ（上りリンクデータと上りリンク制御データ）が入力される。このとき、上りリンクバッファ制御部１０６は、入力された送信データの量（上りリンクバッファ量）を計算する。上りリンク無線リソース要求制御部１１０には、上位レイヤ１１２よりリソース要求設定情報が設定される。リソース要求設定情報には、少なくとも送信カウンタ設定情報と無線リソース要求禁止タイマー情報とが含まれている。また、上りリンクバッファ制御部１０６は、上りリンクバッファ制御部１０６に送信データが入力されたときに、送信データの発生を上りリンク無線リソース要求制御部１１０へ通知することによって、上りリンクバッファに送信データが存在することを知らせる。
【００６０】
上りリンク無線リソース要求制御部１１０は、入力された送信データの送信に必要な無線リソースが割り当てられているかを判断する。上りリンク無線リソース要求制御部１１０は、無線リソース割り当てに基づいて、物理上りリンク共用チャネルＰＵＳＣＨ、物理上りリンク制御チャネルによる無線リソース要求（ＳＲ−ＰＵＣＣＨ）、または物理ランダムアクセスチャネルのいずれか一つを選択し、選択したチャネルを送信するための制御処理を符号部１０７および／またはランダムアクセス制御部１１１に対して要求する。
【００６１】
すなわち、すでに無線リソースが割り当てられており、送信データを物理上りリンク共用チャネルＰＵＳＣＨで送信可能な状態であるとき、符号部１０７は、上りリンク無線リソース要求制御部１１０の指示に従って割り当て済みの無線リソースに対応する送信データを上りリンクバッファ制御部１０６から取得して符号化し、変調部１０８に出力する。または、無線リソースが割り当てられていないときで、物理上りリンク制御チャネルによる無線リソース要求（ＳＲ−ＰＵＣＣＨ）が可能であるとき、符号部１０７は、上りリンク無線リソース要求制御部１１０の指示に従ってＳＲ−ＰＵＣＣＨの送信に必要な制御データを符号化し、変調部１０８に出力する。
【００６２】
または、無線リソースが割り当てられていないときで、物理上りリンク制御チャネルによる無線リソース要求（ＳＲ−ＰＵＣＣＨ）が不可能であるとき、符号部１０７は、ランダムアクセス制御部１１１に対してランダムアクセス手順の開始を指示する。このとき、符号部１０７は、ランダムアクセス制御部１１１から入力されるランダムアクセスデータ情報に基づき物理ランダムアクセスチャネルで送信されるプリアンブル系列を生成する。また、符号部１０７は送信制御情報に従い、各データを適切に符号化し、変調部１０８に出力する。
【００６３】
変調部１０８は、符号部１０７からの出力を送信するチャネル構造に基づいて適切に変調処理を行う。送信部１０９は、変調部１０８の出力を周波数領域にマッピングすると共に、周波数領域の信号を時間領域の信号へ変換し、既定の周波数の搬送波にのせて電力増幅を行う。送信部１０９は、また、上位レイヤ１１２より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【００６４】
図１において、その他の移動局装置１の構成要素は本実施形態に特に強い関連性がないため省略してあるが、移動局装置１として動作するために必要なその他の機能を有する複数のブロックを構成要素として持つことは明らかである。
【００６５】
図２は、本発明の第１の実施形態による基地局装置２の一例を示すブロック図である。本基地局装置は、受信部２０１、復調部２０２、復号部２０３、制御部２０４、符号部２０５、変調部２０６、送信部２０７、上位レイヤ２０８、ネットワーク信号送受信部２０９から構成される。なお、基地局装置２は、複数の周波数（周波数帯、周波数帯域幅）をサポートするために受信系のブロック（受信部２０１、復調部２０２、復号部２０３）、および送信系のブロック（符号部２０５、変調部２０６、送信部２０７）を複数備えてもよい。
【００６６】
上位レイヤ２０８は、下りリンクデータと下りリンク制御データを符号部２０５へ入力する。符号部２０５は、入力されたデータを符号化し、変調部２０６へ入力する。変調部２０６は、符号化した信号の変調を行なう。また、変調部２０６から出力される信号は送信部２０７に入力される。送信部２０７は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【００６７】
また、受信部２０１は、移動局装置１から受信した信号をベースバンドのデジタル信号に変換する。移動局装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へ入力されて復号され、正しく復号された上りリンク制御データや上りリンクデータを上位レイヤ２０８へと出力する。
【００６８】
これら各ブロックの制御に必要な基地局装置制御情報は、受信制御情報と送信制御情報によって構成される基地局装置２の無線通信制御に必要な情報であり、上位のネットワーク装置（ＭＭＥやゲートウェイ装置、ＯＡＭ）やシステムパラメータにより設定され、上位レイヤ２０８が必要に応じて制御部２０４へ入力する。
【００６９】
制御部２０４は、送信に関連する基地局装置制御情報を、送信制御情報として符号部２０５、変調部２０６、送信部２０７の各ブロックに、受信に関連する基地局装置制御情報を、受信制御情報として受信部２０１、復調部２０２、復号部２０３の各ブロックに適切に入力する。基地局装置２のＲＲＣは、上位レイヤ２０８の一部として存在する。
【００７０】
一方、ネットワーク信号送受信部２０９は、基地局装置２間あるいは上位のネットワーク装置と基地局装置２との間の制御メッセージ、またはユーザデータの送信（転送）または受信を行なう。図２において、その他の基地局装置２の構成要素は本実施形態に特に強い関連性がないため省略してあるが、基地局装置２として動作するために必要なその他の機能を有する複数のブロックを構成要素として持つことは明らかである。
【００７１】
図３は、本実施形態における移動局装置１と基地局装置２との間における、無線リソース要求制御に関連する情報のやり取りについて示したシーケンスチャート図である。
【００７２】
移動局装置１は、基地局装置２から送信されている物理報知情報チャネルを受信し、物理報知情報チャネルの情報に基づいて好適なセルを選択している。好適なセルとは、一般的に受信品質が周辺セルよりも良好であり、該移動局装置に対するアクセス制限が設けられていないセルのことを示す。好適なセルにキャンプした移動局装置１は、上りリンク送信データの生起によって基地局装置２へ任意のデータ（アプリケーションによるユーザデータや、ハンドオーバーなどに関係する制御データなど）を送信する必要がある時にＲＲＣ無線接続状態（コネクティッド状態とも称する）に遷移する。ＲＲＣ無線非接続状態（アイドル状態とも称する）から通信中の状態であるＲＲＣ無線接続状態にＲＲＣの状態を遷移するために、移動局装置１はランダムアクセス手順を実行する。
【００７３】
図３の移動局装置１と基地局装置２は、ランダムアクセス手順が成功し、少なくとも一つのセルを介して無線接続されている状態から開始される。また、移動局装置１にはＳＲ−ＰＵＣＣＨに関する送信パラメータが個別に（すなわち、移動局装置１毎に）設定されていないものとする。すなわち、移動局装置１のＳＲ−ＰＵＣＣＨに関する設定は、何も設定されていない状態、または初期設定の状態、またはセル固有のＳＲ−ＰＵＣＣＨに関する設定がされている状態（ＳＲ−ＰＵＣＣＨに関する共通の設定が該セルの移動局装置１に対して適用されている状態）のいずれかである。
【００７４】
このとき、基地局装置２は、移動局装置１に対し、ＲＲＣ無線接続再設定メッセージを送信する（ステップＳ１０１）。ＲＲＣ無線接続再設定メッセージはＲＲＣメッセージ（レイヤ３メッセージ）で送信されることが望ましい。基地局装置２は、ＲＲＣ無線接続再設定メッセージに、ＳＲ−ＰＵＣＣＨの送信に必要なパラメータを移動局装置１毎に個別に設定して送信する。
【００７５】
移動局装置１は、ＲＲＣ無線接続再設定メッセージに基づいてＳＲ−ＰＵＣＣＨの送信に必要なパラメータ（送信パラメータ）を設定し、設定が完了した場合にＲＲＣ無線接続再設定完了メッセージを基地局装置２へ送信する（ステップＳ１０２）。ＲＲＣ無線接続再設定完了メッセージはＲＲＣメッセージ（レイヤ３メッセージ）で送信されることが望ましい。
【００７６】
続いて、移動局装置１は無線リソース要求判定処理（ステップＳ１０３）を開始する。無線リソース要求判定処理とは、移動局装置１が自局の状態（所定の状態）を判定（判断、検出）し、ＳＲ−ＰＵＣＣＨに関する設定に対し拡張が適用可能（許容可能）か否かを基地局装置２へ通知するための判定処理である。なお、ＳＲ−ＰＵＣＣＨに関する設定を拡張するとは、ＳＲ−ＰＵＣＣＨの送信に必要な複数のパラメータのうち、その一つまたは複数に対し、無線リソースの利用効率を向上するために追加された従来と異なるパラメータの値を適用するということを意味する。すなわち、第１の実施形態において、ＳＲ−ＰＵＣＣＨ自体の送信フォーマットや物理チャネル構造が変更されるわけではないことに注意されたい。
【００７７】
例えば、移動局装置１は、上りリンク送信データに関する情報や、移動局装置１の速度情報、無線リソース要求の送信頻度に関する情報などに基づいて無線リソース要求判定処理を実施する。より具体的には、移動局装置１は、ある時間内における平均および／または最大上りリンクバッファ量、ある時間内における再送回数、ある時間内における平均および／または最大上りリンクスループット、ある時間内における平均および／または最大下りリンクスループット、ある時間内における平均および／または最大上りリンクパケット量（パケットサイズ）、ある時間内における平均および／または最大下りリンクパケット量（パケットサイズ）、ある時間内における平均および／または最大送信電力、ある時間における移動局装置１の移動速度推定、ある時間における上りリンクの無線リソースを必要とするまでの予測時間（次のＳＲ−ＰＵＣＣＨ送信までの予想時間）といった情報の一つまたは複数を無線リソース要求判定処理のパラメータとして用いてもよい。
【００７８】
例えば、移動局装置１は、現在の移動局装置１の状態が、ある時間内における平均上りリンクバッファ量が所定の閾値よりも小さく、かつ、移動速度推定による移動速度が低速である場合、ＳＲ−ＰＵＣＣＨに関する設定の拡張が許容可能であると判定してもよい。または、例えば、移動局装置１は、現在の移動局装置１の状態が、ある時間内における最大上りリンクパケット量が所定の閾値よりも小さく、かつ、上りリンクの無線リソースを必要とするまでの予測時間が所定の時間よりも後である場合、ＳＲ−ＰＵＣＣＨに関する設定の拡張が許容可能であると判定してもよい。当然、移動局装置１は、上述した以外の無線リソース要求判定処理のパラメータを組み合わせて判定を行って構わない。
【００７９】
なお、基地局装置２は、ＳＲ−ＰＵＣＣＨの拡張（enhanced SR-PUCCH：以下、拡張ＳＲ−ＰＵＣＣＨと称する）に関する設定が適用可能か否かを移動局装置１に判定させるために、上述した無線リソース要求判定処理のパラメータの一部または全部を移動局装置１に対して設定してもよい。基地局装置２は、各パラメータに対して具体的な数値を設定してもよいし、無線リソース要求判定処理に用いるパラメータの項目のみを設定してもよい。基地局装置２からパラメータが設定される場合、使用する各パラメータのセットを示すインデックス情報が設定されてもよい。また、無線リソース要求判定処理に用いるパラメータのみが設定される場合、移動局装置１は、無線リソース要求判定処理に用いるパラメータの数値を自律的に決定してもよい。
【００８０】
基地局装置２は、上述した無線リソース要求判定処理のパラメータの一部または全部を移動局装置１に対して設定することによって、ＳＲ−ＰＵＣＣＨの拡張が許容可能であることを判定するための状態の監視を該移動局装置１に開始させてもよい。移動局装置１は、上述した無線リソース要求判定処理のためのパラメータの一部または全部が基地局装置２から設定されたときに自局の状態の監視を開始し、ＳＲ−ＰＵＣＣＨの拡張が許容可能であるか否かを判定してもよい。移動局装置１は、各機能ブロックから取得される情報を用いて自局の状態を監視する。
【００８１】
また、通信システムにおいて無線リソース要求判定処理に用いるパラメータが一意に決定されてもよい。また、基地局装置２は、無線リソース要求判定処理に用いるパラメータをセル毎に報知情報で通知してもよい。移動局装置１は、基地局装置２から設定されたパラメータと現在の移動局装置１の状態とを比較し、現在の移動局装置１の状態が基地局装置２から設定されたパラメータで示される状態を満たした場合、ＳＲ−ＰＵＣＣＨに関する設定の拡張が許容可能であると判定する。
【００８２】
または、移動局装置１は、自局が現在通信しているトラフィックの種別（アプリケーションの種別）やデータ送信完了までの予想時間、ＱｏＳなどといった、ＯＳ（オペレーティングシステム）やアプリケーション層、ネットワーク層において提供される情報を管理する上位層（以降、これらをまとめてＮＡＳ（Ｎｏｎ  Ａｃｃｅｓｓ  Ｓｔｒａｔｕｍ）レイヤと称する）の情報に基づいて、無線リソース要求判定処理（ステップＳ１０３）を行ってもよい。以下、このＮＡＳレイヤから指示される情報のことをＮＡＳレイヤ情報と称して説明する。
【００８３】
例えば、ＮＡＳレイヤ情報は、ＳＲ−ＰＵＣＣＨの送信の可能性が低いこと、または高いことを示す。または、ＮＡＳレイヤ情報は、拡張ＳＲ−ＰＵＣＣＨに関する設定が許容可能であること、または許容できないことを示す。または、ＮＡＳレイヤ情報は、無線リソース要求の頻度が低いこと、または高いことを示す。または、ＮＡＳレイヤ情報は、無線リソース要求の遅延が可能であること、または遅延が不可能であることを示す。または、ＮＡＳレイヤ情報は、一度の送信に必要な上りリンクの無線リソースが少なくてもよいこと、または多くの無線リソースが必要であることを示す。または、ＮＡＳレイヤ情報は、今回の通信が制限された無線リソース割り当てが可能であること、または不可能であることを示す。または、ＮＡＳレイヤ情報は、今回の通信におけるトラフィックタイプを示す。または、ＮＡＳレイヤ情報は、今回の通信におけるビットレートを示す。または、ＮＡＳレイヤ情報は、今回の通信における予測通信時間を示す。
【００８４】
移動局装置１は、ＮＡＳレイヤから指示された一つまたは複数の情報（ＮＡＳレイヤ情報）に基づいて無線リソース要求判定処理（ステップＳ１０３）を実施する。この場合における無線リソース要求判定処理とは、ＮＡＳレイヤ情報を基地局装置２へ通知するか否かを判定する処理である。移動局装置１におけるＮＡＳレイヤ情報を基地局装置２へ通知するか否かの判定は、通知された１つまたは複数のＮＡＳレイヤ情報が、ＳＲ−ＰＵＣＣＨのリリースを許容することを示唆する情報であるか否かに基づいて行われる。
【００８５】
例えば、ＮＡＳレイヤ情報がＳＲ−ＰＵＣＣＨの送信の可能性が低いことを示していた場合、移動局装置１は、ＮＡＳレイヤ情報を基地局装置２へ通知すると判定する。また、例えば、ＮＡＳレイヤ情報が今回の通信におけるトラフィックタイプがバックグランド通信を示していた場合、移動局装置１は、ＮＡＳレイヤ情報を基地局装置２へ通知すると判定する。また、例えば、ＮＡＳレイヤ情報が今回の通信における予測通信時間が比較的長時間であり、かつ、低ビットレートあることを示していた場合、移動局装置１は、ＮＡＳレイヤ情報を基地局装置２へ通知すると判定する。移動局装置１は、ステップＳ１０３でＮＡＳレイヤ情報を基地局装置２へ通知すると判定したとき、無線リソース要求制御メッセージを基地局装置２へ通知する必要があると判定する。
【００８６】
一方、移動局装置１は、ステップＳ１０３でＮＡＳレイヤ情報を基地局装置２へ通知する必要がないと判定したときはそのまま処理を終了する。例えば、移動局装置１は、基地局装置２の報知情報で示されるセル固有の情報に基づいて、該基地局装置２のセルがＮＡＳレイヤ情報の通知をサポートしないと判定したとき、無線リソース要求制御メッセージを基地局装置２へ通知する必要がないと判定する。また、例えば、ＮＡＳレイヤ情報がＳＲ−ＰＵＣＣＨの送信の可能性が高いことを示していた場合、移動局装置１は、ＮＡＳレイヤ情報を基地局装置２へ通知しないと判定する。また、例えば、ＮＡＳレイヤ情報が今回の通信におけるトラフィックタイプが高ビットレートの通信（ストリーミングなど）を示していた場合、移動局装置１は、ＮＡＳレイヤ情報を基地局装置２へ通知しないと判定する。また、例えば、ＮＡＳレイヤ情報が今回の通信における予測通信時間が比較的短時間であり、かつ、高ビットレートあることを示していた場合、移動局装置１は、ＮＡＳレイヤ情報を基地局装置２へ通知しないと判定する。
【００８７】
上述したいずれかの無線リソース要求判定処理に基づき、ＳＲ−ＰＵＣＣＨに関する設定の拡張が許容可能であると判定した移動局装置１は、無線リソース要求制御メッセージに拡張ＳＲ−ＰＵＣＣＨに関する情報（コンフィグレーション）を設定し、基地局装置２へ送信する（ステップＳ１０４）。無線リソース要求制御メッセージは、レイヤ３メッセージまたはレイヤ２メッセージを用いて送信されることが望ましいが、レイヤ１メッセージで送信されてもよい。レイヤ２メッセージとは、レイヤ２の構成タスクで解釈されるメッセージであり、物理層（レイヤ１）でデコードされた後にレイヤ２で認識される制御コマンドである。なお、ＥＵＴＲＡならびにＡｄｖａｎｃｅｄ  ＥＵＴＲＡにおけるＬ２メッセージは、ＭＡＣ層で解釈される制御コマンド（ＭＡＣ制御要素：ＭＡＣ  Ｃｏｎｔｒｏｌ  Ｅｌｅｍｅｎｔ、ＭＡＣ制御メッセージ）によって通知される。
【００８８】
ここで、拡張ＳＲ−ＰＵＣＣＨに関する情報とは、例えば、移動局装置１の状態に適した拡張ＳＲ−ＰＵＣＣＨの送信周期時間を示す情報である。または、拡張ＳＲ−ＰＵＣＣＨに関する情報とは、移動局装置１の状態に適した望ましい拡張ＳＲ−ＰＵＣＣＨに関する時間・周波数リソースの割り当て情報である。または、拡張ＳＲ−ＰＵＣＣＨに関する情報とは、移動局装置１の状態に適した望ましい拡張ＳＲ−ＰＵＣＣＨに関する符号リソース（拡散符号、直交符号）の情報である。または、拡張ＳＲ−ＰＵＣＣＨに関する情報とは、移動局装置１の状態に適したＳＲ−ＰＵＣＣＨの送信周期時間の倍数を示す値である。または、拡張ＳＲ−ＰＵＣＣＨに関する情報とは、移動局装置１の状態に適したＳＲ−ＰＵＣＣＨの送信を禁止する時間情報である。または、拡張ＳＲ−ＰＵＣＣＨに関する情報とは、基地局装置２へ通知が必要なＮＡＳレイヤ情報である。
【００８９】
無線リソース要求制御メッセージで通知されるこれらの情報は、実際の適用される値であっても、あらかじめ設定された値を示すインデックス番号であってもよく、さらに、拡張ＳＲ−ＰＵＣＣＨが適用可能か否かを示す情報であってもよい。また、ＮＡＳレイヤから通知されたＮＡＳレイヤ情報そのものを転送してもよく、移動局装置１がＮＡＳレイヤ情報を符号化した情報であってもよい。また、複数の情報が無線リソース要求制御メッセージで同時に通知されてもよい。無線リソース要求制御メッセージは、基地局装置２からの応答を必要としないインディケーションメッセージであってもよく、あるいは基地局装置２からの応答を必要とするリクエストメッセージであってもよい。
【００９０】
無線リソース要求制御メッセージを受信することによって、基地局装置２は、移動局装置１が現在設定されているＳＲ−ＰＵＣＣＨに関する設定よりも、拡張ＳＲ−ＰＵＣＣＨに関する設定の方が適切であると判定（判断、検出）したことを知ることができる。すなわち、移動局装置１は、無線リソース要求制御メッセージを送信することによって、基地局装置２に対して拡張ＳＲ−ＰＵＣＣＨに関する設定が適用可能なことを通知する。
【００９１】
無線リソース要求制御メッセージを受信した基地局装置２は、必要に応じて移動局装置１に対して拡張ＳＲ−ＰＵＣＣＨの送信に必要な設定を通知する（ステップＳ１０５）。基地局装置２は、拡張ＳＲ−ＰＵＣＣＨに関する設定を、ＲＲＣ無線接続再設定メッセージを用いて移動局装置１へ通知する。例えば、拡張ＳＲ−ＰＵＣＣＨに関する設定は、ＳＲ−ＰＵＣＣＨの送信周期時間（Ｐｅｒｉｏｄｉｃ  ｔｉｍｅｒ）よりも長い異なる送信周期時間を示す設定である。または、拡張ＳＲ−ＰＵＣＣＨに関する設定は、ＳＲ−ＰＵＣＣＨとは異なる時間・周波数リソースの割り当て情報である。または、拡張ＳＲ−ＰＵＣＣＨに関する設定は、ＳＲ−ＰＵＣＣＨとは異なる符号リソース（拡散符号、直交符号）である。
【００９２】
または、拡張ＳＲ−ＰＵＣＣＨに関する設定は、ＳＲ−ＰＵＣＣＨの送信周期時間の倍数を示す値である。または、拡張ＳＲ−ＰＵＣＣＨに関する設定は、拡張ＳＲ−ＰＵＣＣＨの送信を禁止する時間情報である。または、拡張ＳＲ−ＰＵＣＣＨに関する設定は、拡張ＳＲ−ＰＵＣＣＨの最大連続送信回数を示す値である。または、拡張ＳＲ−ＰＵＣＣＨに関する設定は、拡張ＳＲ−ＰＵＣＣＨを送信してから下りリンク制御チャネルによって上りリンクの無線リソースが割り当てられるまでの遅延タイマーを示す情報である。
【００９３】
移動局装置１は、基地局装置２から拡張ＳＲ−ＰＵＣＣＨに関する設定が通知されたとき、ＳＲ−ＰＵＣＣＨに関する設定よりも拡張ＳＲ−ＰＵＣＣＨに関する設定を優先させてもよい。すなわち、ＳＲ−ＰＵＣＣＨに関する設定と拡張ＳＲ−ＰＵＣＣＨに関する設定とが同時に設定されている場合、移動局装置１は、拡張ＳＲ−ＰＵＣＣＨに関する設定のみが有効であると判断してもよい。
【００９４】
また、移動局装置１は、設定された拡張ＳＲ−ＰＵＣＣＨに関する設定の有効／無効に関する情報が基地局装置２から通知されてもよい。基地局装置２は、通知した拡張ＳＲ−ＰＵＣＣＨに関する設定の有効／無効に関する情報を移動局装置１に通知してもよい。また、移動局装置１は、基地局装置２から複数の拡張ＳＲ−ＰＵＣＣＨに関する設定、および、通知した複数の拡張ＳＲ−ＰＵＣＣＨに関する設定のどれが有効であるかを示す情報が通知されてもよい。基地局装置２は、複数の拡張ＳＲ−ＰＵＣＣＨに関する設定、および、通知した複数の拡張ＳＲ−ＰＵＣＣＨに関する設定のどれが有効であるかを示す情報を移動局装置１に通知してもよい。
【００９５】
または、移動局装置１は、基地局装置２から拡張ＳＲ−ＰＵＣＣＨに関する設定が通知されたとき、ＳＲ−ＰＵＣＣＨに関する設定と拡張ＳＲ−ＰＵＣＣＨに関する設定とのどちらを優先するかについて、基地局装置２から通知される情報に基づいて判断してもよい。すなわち、ＳＲ−ＰＵＣＣＨに関する設定と拡張ＳＲ−ＰＵＣＣＨに関する設定とが同時に設定されている場合、移動局装置１は、基地局装置２から通知される情報に従ってＳＲ−ＰＵＣＣＨまたは拡張ＳＲ−ＰＵＣＣＨに関する設定のいずれか一方が有効であると判断してもよい。
【００９６】
移動局装置１は、拡張ＳＲ−ＰＵＣＣＨに関する設定が通知されていない場合であって、現在の状態に基づいて拡張ＳＲ−ＰＵＣＣＨに関する設定が許容可能と判断したときに、拡張ＳＲ−ＰＵＣＣＨに関する情報を無線リソース要求制御メッセージに含めて基地局装置２へ送信し、拡張ＳＲ−ＰＵＣＣＨに関する設定が適用可能なことを通知する。また、移動局装置１は、拡張ＳＲ−ＰＵＣＣＨに関する設定が通知されている場合であって、現在の状態に基づいて拡張ＳＲ−ＰＵＣＣＨに関する情報を更新可能であると判定した場合、拡張ＳＲ−ＰＵＣＣＨに関する情報を無線リソース要求制御メッセージに含めて送信してもよい。
【００９７】
また、移動局装置１は、拡張ＳＲ−ＰＵＣＣＨに関する設定が通知されている場合であって、現在の状態に基づいて拡張ＳＲ−ＰＵＣＣＨに関する設定が不要である判定したときに、拡張ＳＲ−ＰＵＣＣＨに関する設定が不要であることを示す情報を無線リソース要求制御メッセージで通知してもよい。
【００９８】
移動局装置１は、拡張ＳＲ−ＰＵＣＣＨに関する設定として、ＳＲ−ＰＵＣＣＨの送信周期時間（Ｐｅｒｉｏｄｉｃ  ｔｉｍｅｒ（第１のＳＲ−ＰＵＣＣＨ周期時間と称する））よりも長い異なる送信周期時間（第２のＳＲ−ＰＵＣＣＨ周期時間と称する）を示す設定が通知されたとき、第２のＳＲ−ＰＵＣＣＨ周期時間をＳＲ−ＰＵＣＣＨの送信に対して適用する。また、移動局装置１は、拡張ＳＲ−ＰＵＣＣＨに関する設定として、ＳＲ−ＰＵＣＣＨとは異なる時間・周波数リソースの割り当て情報が通知されたとき、通知された時間・周波数リソースをＳＲ−ＰＵＣＣＨの送信に対して適用する。
【００９９】
また、移動局装置１は、拡張ＳＲ−ＰＵＣＣＨに関する設定として、ＳＲ−ＰＵＣＣＨの送信周期時間の倍数を示す値が通知されたとき、通知された拡張ＳＲ−ＰＵＣＣＨの送信を禁止する時間情報をＳＲ−ＰＵＣＣＨの送信に対して適用する。また、移動局装置１は、拡張ＳＲ−ＰＵＣＣＨに関する設定として、拡張ＳＲ−ＰＵＣＣＨの最大連続送信回数を示す値が通知されたとき、通知された拡張ＳＲ−ＰＵＣＣＨの最大連続送信回数を示す値をＳＲ−ＰＵＣＣＨの送信に対して適用する。
【０１００】
また、移動局装置１は、拡張ＳＲ−ＰＵＣＣＨに関する設定として、拡張ＳＲ−ＰＵＣＣＨを送信してから下りリンク制御チャネルによって上りリンクの無線リソースが割り当てられるまでの遅延時間が通知されたとき、ＳＲ−ＰＵＣＣＨの送信に対して通知された遅延タイマーを適用し、遅延タイマーが計時中の間は下りリンク制御チャネルの受信を行わない。
【０１０１】
また、基地局装置２は、移動局装置１に対してＳＲ−ＰＵＣＣＨに関するパラメータと、ＳＲ−ＰＵＣＣＨに関する拡張パラメータを最初のＲＲＣ無線接続再設定メッセージ（図３のステップＳ１０１）を用いて同時に設定してもよい。
【０１０２】
基地局装置２は、移動局装置１がＳＲ−ＰＵＣＣＨの送信が拡張可能であるか否かについて、移動局装置１から送信される移動局装置能力メッセージ（ＵＥ  Ｃａｐａｂｉｌｉｔｙ）に設定される移動局装置能力情報から判断してもよい（図示せず）。または、基地局装置２は、拡張ＳＲ−ＰＵＣＣＨに関する設定が可能であるか否かについてＲＲＣ無線接続要求メッセージまたは、ＲＲＣ無線設定完了メッセージから判断し、拡張ＳＲ−ＰＵＣＣＨに関するパラメータを最初のＲＲＣ無線接続再設定メッセージ（図３のステップＳ１０１）に含めて送信してもよい。移動局装置１は、ＲＲＣ無線接続要求メッセージを用いて拡張ＳＲ−ＰＵＣＣＨに関する設定が可能であるか否かを通知する場合、送信理由（Ｃａｕｓｅ）に拡張ＳＲ−ＰＵＣＣＨに関する設定が可能であることを示す情報を設定してもよい。
【０１０３】
移動局装置１は、ＳＲ−ＰＵＣＣＨの送信の拡張が可能か否か（拡張ＳＲ−ＰＵＣＣＨの送信機能をサポートしているか）を示す１ビットの情報を移動局装置能力情報に含めて送信することによって、ＳＲ−ＰＵＣＣＨの送信の拡張の可否について基地局装置２へ示してもよい。または、移動局装置１は、ＳＲ−ＰＵＣＣＨの送信の拡張が可能である場合に限り、ＳＲ−ＰＵＣＣＨの送信の拡張が可能であることを示す情報を移動局装置能力情報に含めて送信することによって、ＳＲ−ＰＵＣＣＨの送信の拡張の可否について基地局装置２へ示してもよい。すなわち、ＳＲ−ＰＵＣＣＨの送信の拡張が不可である場合は、ＳＲ−ＰＵＣＣＨの送信の拡張が可能であることを示す情報は移動局装置能力情報に含まれずに送信される。
【０１０４】
図３における各制御メッセージは、新規のメッセージを用意する以外に、ＥＵＴＲＡで既存のＲＲＣメッセージを再利用しても良い。例えば、ＲＲＣ無線接続再設定メッセージはＲＲＣ  Ｃｏｎｎｅｃｔｉｏｎ  Ｒｅｃｏｎｆｉｇｕｒａｔｉｏｎメッセージ、ＲＲＣ無線接続再設定完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージ、無線リソース要求制御メッセージは、Ｍｅａｓｕｒｅｍｅｎｔ  ｒｅｐｏｒｔメッセージにそれぞれ必要なパラメータを追加して再利用してもよい。
【０１０５】
ここまでの説明では、移動局装置１は、ＳＲ−ＰＵＣＣＨに関する設定の拡張が許容可能であると判定した時点で基地局装置２へ無線リソース要求制御メッセージを送信している。しかしながら、移動局装置１は、基地局装置２から設定された周期タイマー（Ｐｅｒｉｏｄｉｃ  Ｔｉｍｅｒ）が満了したときに無線リソース要求制御メッセージを基地局装置２へ周期的に送信するように構成されていてもよい。周期タイマーは、基地局装置２から個別に設定されてよいし、システムで一意に決まっていてもよいし、報知情報から取得してもよい。また、所定のパラメータごと、あるいは所定のパラメータのグループごとに周期タイマーが設定されていてもよい。すなわち、基地局装置２は、移動局装置１に対して複数の周期タイマーを設定してもよい。
【０１０６】
また、移動局装置１は、無線リソース要求を行うための好適な状態を基地局装置２へ示すために無線リソース要求制御メッセージを使用してもよい。すなわち、移動局装置１は、自局の状態に基づいて判定した結果、（１）ＳＲ−ＰＵＣＣＨが未設定の状態、（２）ＳＲ−ＰＵＣＣＨが設定されている状態、（３）拡張ＳＲ−ＰＵＣＣＨが設定されている状態、のうち、どの状態が無線リソース要求方法として適切であるかを示す情報を、無線リソース要求制御メッセージを用いて基地局装置２へ通知してもよい。
【０１０７】
また、移動局装置１は、無線リソース要求を行うための好適な無線リソース要求方法を基地局装置２へ示すために無線リソース要求制御メッセージを使用してもよい。すなわち、移動局装置１は、自局の状態に基づいて判定した結果、（１）物理ランダムアクセスチャネルによる無線リソース要求方法、（２）ＳＲ−ＰＵＣＣＨによる無線リソース要求方法、（３）拡張ＳＲ−ＰＵＣＣＨによる無線リソース要求方法、のうち、どの無線リソース要求方法が適切であるかを示す情報を、無線リソース要求制御メッセージを用いて基地局装置２へ通知してもよい。
【０１０８】
本実施形態の移動局装置１は、基地局装置２からＳＲ−ＰＵＣＣＨの送信に関するパラメータ（第１のパラメータ）が設定される。また、本実施形態の移動局装置１は、基地局装置２からＳＲ−ＰＵＣＣＨの送信に関する自局の状態（すなわち、ＳＲ−ＰＵＣＣＨの送信状態）を判定するパラメータ（第２のパラメータ）に基づいて、拡張ＳＲ−ＰＵＣＣＨに関する設定が適用可能であることを判定できる。また、移動局装置１は、基地局装置２から設定されたＳＲ−ＰＵＣＣＨに関する自局の状態を判定するパラメータに基づいて、拡張ＳＲ−ＰＵＣＣＨに関する設定が適用可能であることを判定できる。また、移動局装置１は、拡張ＳＲ−ＰＵＣＣＨに関する設定が適用可能であること示す情報を基地局装置２へ通知することができる。
【０１０９】
また、本実施形態の基地局装置２は、移動局装置１に対してＳＲ−ＰＵＣＣＨの送信に関するパラメータ（第１のパラメータ）を設定する。また、本実施形態の基地局装置２は、移動局装置１に対してＳＲ−ＰＵＣＣＨに関する移動局装置１の状態（ＳＲ−ＰＵＣＣＨの送信状態）を判定するためのパラメータ（第２のパラメータ）を設定し、移動局装置１の状態の監視を開始させることができる。そして、該移動局装置１にＳＲ−ＰＵＣＣＨに関する自局の状態を判定させることができる。また、基地局装置２は、移動局装置１から拡張ＳＲ−ＰＵＣＣＨに関する設定が適用可能であること示す情報を受信することによって、拡張ＳＲ−ＰＵＣＣＨに関する設定を移動局装置１に対して送信することができる。
【０１１０】
このように、移動局装置１は無線リソース要求に用いる物理上りリンク制御チャネルを効率的に利用可能な所定の状態を満足したことを基地局装置２へ通知し、基地局装置２は、移動局装置１に対して所定の状態に基づいて物理上りリンク制御チャネルの拡張設定を通知することが可能となるため、移動局装置１と基地局装置２との間の無線リソース要求が効率化され、無線リソースの利用効率が向上する。
【０１１１】
＜第２の実施形態＞
本発明の第２の実施形態について以下に説明する。第１の実施形態では、移動局装置１が通信中に所定の状態を満たしたことを示す情報を基地局装置２に送信して通知する例について開示したが、本実施形態では、移動局装置１が通信中に無線リソース要求に用いる物理上りリンク制御チャネルの無線リソースの必要性を判断して通知する例について開示する。本実施形態に用いる移動局装置１と基地局装置２の構成は、それぞれ図１と図２と同じ構成で良いため説明を省略する。
【０１１２】
一般的に、無線リソース要求が非周期的、かつ短時間に継続して行なわれる場合は無線リソース要求のためのＳＲ−ＰＵＣＣＨはリリースしない方が無線リソースの利用効率が良い。その一方、無線リソース要求が周期的、かつその周期が比較的長い場合は無線リソース要求のためのＳＲ−ＰＵＣＣＨはリリースした方が無線リソースの利用効率が良い。そのため、無線リソース要求の送信周期を判定するための新規のタイマーを移動局装置１に設定し、ＳＲ−ＰＵＣＣＨに関する設定のリリースの可否を判定する方法が簡易かつ効果的である。この方法を実現するための具体的な内容について図４を用いて説明する。
【０１１３】
図４は、本実施形態における移動局装置１と基地局装置２との間における、無線リソース要求制御に関連する情報のやり取りについて示したシーケンスチャート図である。移動局装置１と基地局装置２がＲＲＣ無線接続状態から開始されるまでは図３の手順と同じである。また、図４の移動局装置１は、ＳＲ−ＰＵＣＣＨに関するパラメータが個別に（すなわち、移動局装置１毎に）設定されているとする。
【０１１４】
移動局装置１は、ステップＳ２０１で無線リソース要求リリース判定処理を行う。無線リソース要求リリース判定処理とは、移動局装置１が設定されているＳＲ−ＰＵＣＣＨに関する設定、または拡張ＳＲ−ＰＵＣＣＨに関する設定をリリースするか否かについて判定するための処理である。
【０１１５】
移動局装置１は、無線リソース要求リリース判定処理（ステップＳ２０１）として、ＳＲ−ＰＵＣＣＨまたは拡張ＳＲ−ＰＵＣＣＨが設定されたときに、無線リソース要求リリースタイマーを起動して計時を開始する。そして、無線リソース要求リリースタイマーが満了したときにＳＲ−ＰＵＣＣＨに関する設定、または拡張ＳＲ−ＰＵＣＣＨに関する設定を保持しておく必要性が低いと判定する。すなわち、無線リソース要求リリースタイマーが満了したとき、移動局装置１は、ＳＲ−ＰＵＣＣＨおよび／または拡張ＳＲ−ＰＵＣＣＨのリリースのトリガ条件が満たされたと判定するとともに、ＳＲ−ＰＵＣＣＨおよび／または拡張ＳＲ−ＰＵＣＣＨをリリースした方が無線リソースの利用効率が高いと判定する。
【０１１６】
無線リソース要求リリースタイマーは、セルの報知情報、または、移動局装置１毎に基地局装置２から個別に設定されている。無線リソース要求リリースタイマーは、ＳＲ−ＰＵＣＣＨに関する設定の一部、または拡張ＳＲ−ＰＵＣＣＨに関する設定の一部として設定されてもよい。また、ＳＲ−ＰＵＣＣＨと拡張ＳＲ−ＰＵＣＣＨとで共通のタイマー値であってもよいし、別々のタイマー値であってもよい。
【０１１７】
また、無線リソース要求リリースタイマーは、無線リソース要求を送信したときに初期化されて、スタート／再スタートされてもよい。また、無線リソース要求リリースタイマーは、無線リソース要求のトリガが成立したときに初期化されて、スタート／再スタートされてもよい。また、無線リソース要求リリースタイマーは、上りリンクの送信バッファの情報報告（バッファステータスレポート）を送信したときに初期化されて、スタート／再スタートされてもよい。また、無線リソース要求リリースタイマーは、上りリンクの送信バッファがゼロとなったときに初期化されて、スタート／再スタートされてもよい。
【０１１８】
上述した無線リソース要求リリースタイマーのスタート／再スタートの各トリガ条件に対し、更にオフセットタイマーが適用されてもよい。例えば、無線リソース要求を送信してからオフセットタイマーだけ経過したときに無線リソース要求リリースタイマーのスタート／再スタートされてもよい。当然、移動局装置１は、上述した以外の無線リソース要求リリースタイマーのトリガ条件が適用されても構わない。また、移動局装置１は、上述した無線リソース要求リリースタイマー以外のトリガ条件で無線リソース要求リリース判定処理を行ってもよい。
【０１１９】
移動局装置１は、無線リソース要求リリース判定処理を行うか否かを、基地局装置２の報知情報から取得されるセル固有の情報、または、移動局装置１毎に設定される個別の設定情報から判断してもよい。基地局装置２は、移動局装置１に対して無線リソース要求リリース判定処理を行わせるか否かを、基地局装置２の報知情報で通知されるセル固有の情報、または、移動局装置１毎に個別の設定情報を設定することによって判断させてもよい。また、移動局装置１は、拡張ＳＲ−ＰＵＣＣＨに関する設定が通知されている場合にのみ無線リソース要求リリース判定処理を行ってもよい。
【０１２０】
また、移動局装置１は、設定された無線リソース要求リリース判定処理の有効／無効に関する情報が基地局装置２から通知されてもよい。基地局装置２は、設定した無線リソース要求リリース判定処理の有効／無効に関する情報を移動局装置１に通知してもよい。
【０１２１】
上述したいずれかの方法に基づき、ＳＲ−ＰＵＣＣＨおよび／または拡張ＳＲ−ＰＵＣＣＨに関する設定のリリースのトリガ条件が満たされたと判定した移動局装置１は、無線リソース要求リリース通知メッセージにＳＲ−ＰＵＣＣＨおよび／または拡張ＳＲ−ＰＵＣＣＨに関する設定のリリースを示す情報を含めて、基地局装置２へ送信する（ステップＳ２０２）。また、移動局装置１は、無線リソース要求リリース通知メッセージに条件が成立したトリガ条件を含めて、基地局装置２へ送信してもよい。また、移動局装置１は、無線リソース要求リリース通知メッセージに条件が成立したトリガ条件のインデックス番号を含めて、基地局装置２へ送信してもよい。
【０１２２】
また、移動局装置１は、無線リソース要求リリース通知メッセージにバッファステータスレポートの値を含めて、基地局装置２へ送信してもよい。また、移動局装置１は、無線リソース要求リリース通知メッセージにＳＲ−ＰＵＣＣＨおよび／または拡張ＳＲ−ＰＵＣＣＨに関する設定のリリースの理由を示す情報を含めて、基地局装置２へ送信してもよい。
【０１２３】
無線リソース要求リリース通知メッセージは、レイヤ３メッセージまたはレイヤ２メッセージを用いて送信されることが望ましいが、レイヤ１メッセージで送信されてもよい。無線リソース要求リリース通知メッセージは、基地局装置２からの応答を必要としないインディケーションメッセージであってもよく、あるいは基地局装置２からの応答を必要とするリクエストメッセージであってもよい。
【０１２４】
無線リソース要求リリース通知メッセージを受信した基地局装置２は、必要に応じて移動局装置１に対してＳＲ−ＰＵＣＣＨおよび／または拡張ＳＲ−ＰＵＣＣＨに関する設定をリリースする（ステップＳ２０３）。基地局装置２は、ＳＲ−ＰＵＣＣＨおよび／または拡張ＳＲ−ＰＵＣＣＨに関する設定のリリースを、ＲＲＣ無線接続再設定メッセージを用いて移動局装置１へ通知する。
【０１２５】
また、トリガ条件を満たしたと判定した移動局装置１が、ＳＲ−ＰＵＣＣＨおよび／または拡張ＳＲ−ＰＵＣＣＨに関する設定を自律的にリリースした後、リリースしたことを示す情報を無線リソース要求制御メッセージで基地局装置２へ通知してもよい。
【０１２６】
本実施形態の移動局装置１は、基地局装置２からＳＲ−ＰＵＣＣＨおよび／または拡張ＳＲ−ＰＵＣＣＨの送信に関するパラメータ（第１のパラメータ）が設定される。また、本実施形態の移動局装置１は、基地局装置２からＳＲ−ＰＵＣＣＨおよび／または拡張ＳＲ−ＰＵＣＣＨに関する設定のリリースの可否を判定するパラメータ（第２のパラメータ）に基づいて、ＳＲ−ＰＵＣＣＨおよび／または拡張ＳＲ−ＰＵＣＣＨに関する設定のリリースの可否を判定できる。また、移動局装置１は、ＳＲ−ＰＵＣＣＨおよび／または拡張ＳＲ−ＰＵＣＣＨに関する設定のリリースの可否を示す情報を基地局装置２へ通知することができる。
【０１２７】
また、本実施形態の基地局装置２は、移動局装置１に対してＳＲ−ＰＵＣＣＨおよび／または拡張ＳＲ−ＰＵＣＣＨの送信に関するパラメータ（第１のパラメータ）を設定する。また、本実施形態の基地局装置２は、移動局装置１に対してＳＲ−ＰＵＣＣＨおよび／または拡張ＳＲ−ＰＵＣＣＨに関する設定の可否を判定するパラメータ（第２のパラメータ）を設定し、移動局装置１の状態の監視を開始させることができる。そして、該移動局装置１にＳＲ−ＰＵＣＣＨおよび／または拡張ＳＲ−ＰＵＣＣＨに関する自局の状態を判定させることができる。また、基地局装置２は、移動局装置１からＳＲ−ＰＵＣＣＨおよび／または拡張ＳＲ−ＰＵＣＣＨに関する設定のリリースが可能であること示す情報を受信することによって、ＳＲ−ＰＵＣＣＨおよび／または拡張ＳＲ−ＰＵＣＣＨに関する設定のリリースを移動局装置１に対して通知することができる。
【０１２８】
このように、移動局装置１は無線リソース要求に用いる物理上りリンク制御チャネルを効率的に利用可能な所定の状態を満足したことを基地局装置２へ通知し、基地局装置２は、移動局装置１に対して所定の状態に基づいて物理上りリンク制御チャネルの拡張設定を通知することが可能となるため、移動局装置１と基地局装置２との間の無線リソース要求が効率化され、無線リソースの利用効率が向上する。
【０１２９】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。また、下りリンクの測定値は、パスロスや、それ以外の測定値（ＳＩＲ、ＳＩＮＲ、ＲＳＲＰ、ＲＳＲＱ、ＲＳＳＩ、ＢＬＥＲ）を代わり用いても良いし、これらの測定値の複数を組み合わせて使用することも可能である。また、実施形態で示される各パラメータの名称は、説明の便宜上呼称しているものであって、実際に適用されるパラメータ名称と本願のパラメータ名称とが異なっていても、本願が主張する発明の趣旨に影響するものではない。
【０１３０】
また、移動局装置１とは、移動する端末に限らず、固定端末に移動局装置１の機能を実装することなどにより本発明の実施形態を実現しても良い。移動局装置は、ユーザ端末、端末装置、通信端末、移動機、移動局、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置は、無線基地局装置、基地局、無線基地局、固定局、ＮＢ（Ｎｏｄｅ−Ｂ）、ｅＮＢ（ｅｖｏｌｖｅｄ  Ｎｏｄｅ−Ｂ）ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１３１】
また、説明の便宜上、実施形態の移動局装置１および基地局装置２を機能的なブロック図を用いて説明したが、移動局装置１および基地局装置２の各部の機能またはこれらの機能の一部を実現するための方法またはアルゴリズムのステップは、ハードウェア、プロセッサによって実行されるソフトウェアモジュール、またはこれら２つを組み合わせたものによって、直接的に具体化され得る。もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１３２】
そして、一つ以上の命令またはコードをコンピュータ読み取り可能な記録媒体に記録し、この記録媒体に記録された一つ以上の命令またはコードをコンピュータシステムに読み込ませ、実行することにより移動局装置１や基地局装置２の制御を行なっても良い。なお、ここでいう「コンピュータシステム」とは、ＯＳや周辺機器等のハードウェアを含むものとする。
【０１３３】
本発明の各実施形態に記載の動作をプログラムで実現してもよい。本発明の各実施形態に関わる移動局装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１３４】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１３５】
また、上記プログラムは、前述した機能の一部を実現するためのものであっても良く、さらに、前述した機能をコンピュータシステムに既に記録されているプログラムとの組み合わせで実現できるものであっても良い。
【０１３６】
また、上記各実施形態に用いた移動局装置１および基地局装置２の各機能ブロック、または諸特徴は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。
【０１３７】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１３８】
以上、この発明の実施形態について特定の具体例に基づいて詳述してきたが、本発明の各実施形態の趣旨ならびに特許請求の範囲は、これら特定の具体例に限定されないことは明らかである。すなわち、本明細書の記載は例示説明を目的としたものであり、本発明の各実施形態に対して何ら制限を加えるものではない。
【符号の説明】
【０１３９】
１…移動局装置
２…基地局装置
１０１、２０１…受信部
１０２、２０２…復調部
１０３、２０３…復号部
１０４…測定処理部
１０５、２０４…制御部
１０６…上りリンクバッファ制御部
１０７、２０５…符号部
１０８、２０６…変調部
１０９、２０７…送信部
１１０…上りリンク無線リソース要求制御部
１１１…ランダムアクセス制御部
１１２、２０８…上位レイヤ
２０９…ネットワーク信号送受信部
【図１】
0006050021.tif 000002
【図２】
0006050021.tif 000003
【図３】
0006050021.tif 000004
【図４】
0006050021.tif 000005